(57)【要約】【課題】二つの収納部を選択的に開いて物品を収納できる包装箱において、片方づつだけを開封可能な包装箱を提供すること。【解決手段】包装箱はベース部材と上カバーと下カバーで構成する。上カバーはベース部材に結合すると共にベース部材とロックする機構を持つ第一係止爪と、同じく結合すると共に下カバーのロック機構を解除する第三係止爪とを有する。下カバーはベース部材に結合すると共に上カバーのロック機構を解除する第二係止爪と、同じく結合すると共にベース部材とロックする機構を持つ第四係止爪とを有する。これらを全て結合させた時には、上下カバーが互いに相手カバーのロック機構を解除し合っているのでどちらも外せる状態にあるが、一方のカバーを外すと、もう一方のカバーはロック機構が復活するので外せなくなる。各部材を円筒形に形成しバヨネット結合させれば着脱容易で見た目にも良い。【選択図】図１
2017145003.tif 000002
【特許請求の範囲】
【請求項１】
ベース部材（２）と、第一カバー（３）と、第二カバー（４）と、で構成される包装箱において、
該第一カバーは、該ベース部材に結合すると共に、該ベース部材とロックする第一係止部（３ｂ・３ｃ）を有し、
該第二カバーは、該ベース部材に結合すると共に、該第一カバーと該ベース部材とのロックを解除する第二係止部（４ｂ・４ｃ）を有することを特徴とする包装箱。
【請求項２】
前記第二カバーは、前記ベース部材に結合すると共に、前記ベース部材とロックする第三係止部（４ｄ・４ｅ）を有し、前記第一カバーは、前記ベース部材に結合すると共に、前記第二カバーと前記ベース部材とのロックを解除する第四係止部（３ｄ・３ｅ）を有することを特徴とする請求項１に記載の包装箱。
【請求項３】
前記第一カバー、前記第二カバー、および前記ベース部材は円筒形を成し、
前記ベース部材は、前記円筒形の外筒（２ａ）の内側に前記第一カバーと前記第二カバーを係合させる複数の係止部（２ｃ〜２ｉ）を有し、
前記第一カバーは、前記ベース部材の方向に突出した前記第一係止部および前記第四係止部を前記ベース部材に差し込み円周方向に回転させて前記複数の係止部に係合し、
前記第二カバーは、前記ベース部材の方向に突出した前記第二係止部および前記第三係止部を前記ベース部材に差し込み円周方向に回転させて前記複数の係止部に係合することを特徴とする請求項１又は請求項２に記載の包装箱。
【請求項４】
前記第一カバーは、前記ベース部材の方向に突出した前記第一係止部を前記ベース部材に差し込み円周方向に回転させて前記複数の係止部に係合すると前記第一係止部の外周面に設けたロック部（３ｆ・３ｇ）を前記ベース部材の前記外筒の内周面に設けたロック部（２ｌ・２ｍ）に係合してロックし、
前記第二カバーは、前記ベース部材の方向に突出した前記第二係止部を前記ベース部材に差し込み円周方向に回転させて前記複数の係止部に係合すると前記第二係止部を前記第一カバーの前記ロック部（３ｆ・３ｇ）と前記ベース部材の前記ロック部（２ｌ・２ｍ）の間に差し込んでロック解除することを特徴とする請求項１乃至請求項３の何れか一項に記載の包装箱。
【請求項５】
前記第二カバーは、前記ベース部材の方向に突出した前記第三係止部を前記ベース部材に差し込み円周方向に回転させて前記複数の係止部に係合すると前記第三係止部の外周面に設けたロック部（４ｆ・４ｇ）を前記ベース部材の前記外筒の内周面に設けたロック部（２ｐ・２ｑ）に係合してロックし、
前記第一カバーは、前記ベース部材の方向に突出した前記第四係止部を前記ベース部材に差し込み円周方向に回転させて前記複数の係止部に係合すると前記第四係止部を前記第二カバーの前記ロック部（４ｆ・４ｇ）と前記ベース部材の前記ロック部（２ｐ・２ｑ）の間に差し込んでロック解除することを特徴とする請求項１乃至請求項４の何れか一項に記載の包装箱。
【請求項６】
前記第一カバーの前記第一係止部を第一の色彩に彩色し、
前記第二カバーの前記第二係止部を第二の色彩に彩色し、
前記ベース部材の前記外筒に窓部（２ｔ・２ｕ）を設けて前記ベース部材に係合させた前記第一カバーの前記第一の色彩および前記第二カバーの前記第二の色彩を外部に透過させることを特徴とする請求項１乃至請求項５の何れか一項に記載の包装箱。
【請求項７】
前記第二カバーの前記第三係止部を前記第一の色彩に彩色し、
前記第一カバーの前記第四係止部を前記第二の色彩に彩色し、
前記ベース部材の前記外筒に窓部（２ｖ・２ｗ）を設けて前記ベース部材に係合させた前記第二カバーの前記第一の色彩および前記第一カバーの前記第二の色彩を外部に透過させることを特徴とする請求項１乃至請求項６の何れか一項に記載の包装箱。
【請求項８】
前記第一カバーは透明材にて形成し、
前記ベース部材は非透明材にて形成することを特徴とする請求項１乃至請求項７の何れか一項に記載の包装箱。
【請求項９】
前記第一カバーの内側に、被梱包部材（５）を覆う凸形状（７ａ）を有する透明な保護カバー（７）を設け、
前記ベース部材に載せた前記被梱包部材を前記凸形状で覆った状態で前記第一カバーは前記ベース部材に結合することを特徴とする請求項１乃至請求項８の何れか一項に包装箱。
【請求項１０】
前記第一カバーの内側に、開口部（８ａ）を有する上シートを設け、
前記開口部から前記凸形状を露出させた状態で前記保護カバーを前記上シートで覆ったことを特徴とする請求項１乃至請求項９の何れか一項に記載の包装箱。
【請求項１１】
前記第二カバーの外周を覆う下シート（９）を設けたことを特徴とする請求項１乃至請求項１０の何れか一項に記載の包装箱。
【発明の詳細な説明】
【技術分野】
【０００１】
本発明は、物品を収納する包装箱に関し、特に本体の上下それぞれにカバーを設けて、それぞれの内部に物品を収納できる包装箱に関する。
【背景技術】
【０００２】
複数種類の物品をまとめて収納する包装箱には、内部に複数の収納部を備え、それぞれ選択的に収納口を開いて種類別に物品を収納できるものが便利であり、これまで多くの改善が行なわれている。
【０００３】
特許文献１は、「釣り用バッグ」の例で、収納口を開閉する外蓋と内蓋を備え、内蓋に設けた取っ手を外蓋の外側に突出させ、外蓋だけを開けたり、外蓋と共に内蓋を開けたりできるものである。外蓋だけを開ければ釣りに必要な餌や道具類を出し入れでき、内蓋も一緒に開ければ漁獲品を下部の広いスペースに収納できる。
【０００４】
また特許文献２は、自動車の助手席側に設けたグローブボックスで、入口を外蓋と内蓋との二重構造にしたドアで覆い、蓋の中間を書類収納部としたものである。外蓋と内蓋とをロックする第１のノブと、ボックス本体と内蓋とをロックする第２のノブとを選択的に解除することで、書類収納部のみ、または収納部全体を選んで開放できる。これは車両内部の収納庫を塞ぐドアの例で、携帯可能ないわゆる「箱」とは多少異なる主旨ではあるが、収納部を選択的に開閉できる蓋という概念において好適な先行例といえる。
【先行技術文献】
【特許文献】
【０００５】
【特許文献１】特開２００８−２０６４３２号公報
【特許文献２】特開平６−１５６１４９号公報
【発明の概要】
【発明が解決しようとする課題】
【０００６】
ところで、近年、収納された商品を観察できる透明なディスプレイ型の包装箱が、商品を展示しながら販売できる包装箱として好評である。これは包装箱の上側に透明部材を配置してメインとなる商品を外部から可視状態にて収納し、他の付属品や説明書類を下側の非透明部に隠して収納したものである。
【０００７】
デザイン意匠やロゴマーク、また原産地名やバーコード等の必要情報は非透明部分に記載して包装箱としての体裁を踏まえ、透明部分に内容物を直接に展示することで商品の形態をよりダイレクトに消費者へ伝えることができる。
【０００８】
この様な包装箱においては、包装作業時には、メインである商品を収納する作業と、その他の付属品や説明書類を収納する作業とは別工程で行なわれることがあり、なかには、メインの商品だけをその生産拠点で梱包し、物流を経たのち、付属品類を別拠点にて追加梱包するといった手順、あるいはその逆をとることもある。
【０００９】
このような場合、先に梱包された物品は、その後は不用意に開封されずに経過することが好ましい。また、ユーザー側においても、たとえば商品を取り出している最中は、付属品類は不用意に開封されずに経過した方がよい場合もある。
【００１０】
また、この様な展示可能に梱包される商品は小型で美的価値が求められるものが多いから、その包装箱においても、美的に優れたものが好ましい。
【００１１】
しかし、先行技術では、包装箱の外側へ突出した取っ手を要する、あるいは複数のノブを設けるなど、そのような用途には対応しづらい。
【００１２】
そこで、本発明は、この様な小型軽量の商品を包装する包装箱において、複数の蓋を選択して開ける事ができ、その開けた状態ではもう一方の蓋が開かない様にした包装箱を提供することを目的とする。
【課題を解決するための手段】
【００１３】
上記の目的を達成するために、本発明に係る包装箱は、
ベース部材と、第一カバーと、第二カバーと、で構成される包装箱において、
該第一カバーは、該ベース部材に結合すると共に、該ベース部材とロックする第一係止部を有し、
該第二カバーは、該ベース部材に結合すると共に、該第一カバーと該ベース部材とのロックを解除する第二係止部を有することを特徴とする。
【００１４】
さらに本発明に係る包装箱は、
前記第二カバーは、前記ベース部材に結合すると共に、前記ベース部材とロックする第三係止部を有し、
前記第一カバーは、前記ベース部材に結合すると共に、前記第二カバーと前記ベース部材とのロックを解除する第四係止部を有することを特徴とする。
【００１５】
さらに本発明に係る包装箱は、
前記第一カバー、前記第二カバー、および前記ベース部材は円筒形を成し、
前記ベース部材は、前記円筒形の外筒（２ａ）の内側に前記第一カバーと前記第二カバーを係合させる複数の係止部（２ｃ〜２ｉ）を有し、
前記第一カバーは、前記ベース部材の方向に突出した前記第一係止部および前記第四係止部を前記ベース部材に差し込み円周方向に回転させて前記複数の係止部に係合し、
前記第二カバーは、前記ベース部材の方向に突出した前記第二係止部および前記第三係止部を前記ベース部材に差し込み円周方向に回転させて前記複数の係止部に係合することを特徴とする。
【発明の効果】
【００１６】
本発明に係る包装箱によれば、上カバーにベース部材とロックする機構を設け、下カバーにそのロックを解除する機構を設けたので、上カバーを閉じるとロックすることができ、下カバーを閉じるまではそのロック状態を維持できる。さらに下カバーにもベース部材とロックする機構を設け上カバーにそのロックを解除する機構を設ければ、どちらか一方のカバーを閉じてロックすると他方のカバーを閉じるまではそのロック状態を維持できるので、常に片方しか開けられない包装箱にすることができる。さらに各部材を円筒形にして結合爪にロック機構と解除機構を持たせれば、上下カバーをバヨネット結合できるので、カバーの回転操作だけで簡単に開閉でき見た目にも美しい包装箱にすることができる。
【図面の簡単な説明】
【００１７】
【図１】本発明による包装箱１の全体図
【図２】ベース２の詳細図
【図３】上カバー３の詳細図
【図４】下カバー４の詳細図
【図５−１】ベース２に上カバー３を被せる様子を示す断面図
【図５−２】ベース２に上カバー３を被せる様子を示す断面図
【図５−３】ベース２に上カバー３を被せる様子を示す断面図
【図５−４】ベース２に上カバー３を被せる様子を示す断面図
【図６−１】ベース２に下カバー４を被せる様子を示す断面図
【図６−２】ベース２に下カバー４を被せる様子を示す断面図
【図６−３】ベース２に下カバー４を被せる様子を示す断面図
【図６−４】ベース２に下カバー４を被せる様子を示す断面図
【発明を実施するための形態】
【００１８】
以下、本発明を実施するための形態を図面に基づいて説明する。
【実施例１】
【００１９】
本発明の第１実施例による包装装置について説明する。
【００２０】
図１は本発明による包装箱１の全体図であり、図１Ａは閉じた様子、図１Ｂは開けた様子、図１Ｃは各部品に分解した様子である。
【００２１】
包装箱１は被梱包物を載せるベース２と、上面を覆う透明な上カバー３と、下面を覆う下カバー４にて構成される。これらは上面から見て軸中心に１８０度円対称の筒形になっており、被梱包物である電子機器５と、同じく被梱包物である付属品類６を収納する。
【００２２】
上カバー３と下カバー４は、それぞれに設けた複数の爪をベース２に差し込み回転する、いわゆるバヨネット方式によって結合するので、別途複雑な操作を必要とせず、容易に着脱させることができる。
【００２３】
上カバー３の内側には、透明な保護カバー７が取り付けてあり、電子機器５の形状に合わせて突出させた凸形状７ａで電子機器５を直接覆って保護するので、電子機器５を安定して収納し振動落下等の外因から保護することができる。
【００２４】
また保護カバー７には上シート８が取り付けてあり、開口部８ａから凸形状７ａに覆われた電子機器５を露出させつつ、バヨネット結合部や他の部分を隠して美観を保ち、製品の説明や各種印刷を施すこともできる。
【００２５】
また下カバー４の外周には、製品の説明や各種印刷を施した下シート９が巻き付け、同じく製品説明や各種印刷を追加できる。これらは連続的な外径を持つ円筒形に形成しているので、外観を綺麗に品良く仕上げる事ができる。
【００２６】
次に、包装箱１の詳細を説明する。
【００２７】
まず、図２にベース２の詳細図を示す。図２Ａはベース２の外観図であり、樹脂材にて形成され、円筒形の外筒２ａと、その内側に空間を隔てて円筒形の内筒２ｂがあり、ここに電子機器５を載せる様になっている。
【００２８】
図２Ｂは説明用に内筒２ｂを非表示にした図であり、外筒２ａの内面には全周にわたって係止部２ｃ〜２ｊ、および８つのリブ２ｋが設けてあり、これらによって外筒２ａと内筒２ｂは複数個所で一体的につながっている。そして、一対となる第一係止部２ｃ・２ｄの下側には、外筒２ａの内面に対して略垂直なロック面２ｌ・２ｍと、上面側から見て時計回り方向に内側へ傾斜したテーパ面２ｎ・２ｏが設けてある。また、一対となる第三係止部２ｇ・２ｈの上側には、外筒２ａの内面に対して略垂直なロック面２ｐ・２ｑと、上面側から見て反時計回り方向に内側へ傾斜したテーパ面２ｒ・２ｓが設けてある。しかし、第二係止部２ｅ・２ｆの上側と、第四係止部２ｉ・２ｊの下側には、これらのロック面やテーパ面は設けておらず、外筒２ａの内面のままである。そして、外筒２ａには窓部２ｔ〜２ｗが設けてあり、これを透過して内部を観察することができる。
【００２９】
次に、図３に上カバー３の詳細図を示す。
【００３０】
これは全体がアクリル樹脂等の透明部材にて形成され、ベース２の外筒２ａと同じ外径で上側が閉塞した円筒形の外筒３ａを有する。
【００３１】
また、外筒３ａの下側には、その外径から所定量内径側にて下方向へ突出し、さらに時計回り方向へフックした第一係止爪３ｂ・３ｃと、第四係止爪３ｄ・３ｅが９０度間隔で交互に設けてある。これらはベース２の外筒２ａの内側に差し込んでから時計回り方向に回して、第一係止部２ｃ・２ｄおよび第四係止部２ｉ・２ｊに結合させるものである。
【００３２】
このうち、第一係止爪３ｂ・３ｃの先端には、外筒３ａに対して略垂直なロック面３ｆ・３ｇと、上面側から見て時計回り方向にて内径側へ傾斜したテーパ面３ｈ・３ｉが設けてある。このテーパ面３ｈ・３ｉは、表面に赤色の塗装が施されている。しかし、第四係止爪３ｄ・３ｅにはこの様なテーパ面は無く、代わりに青色の塗装が施されている。
【００３３】
次に、図４は下カバー４の詳細図であり、樹脂材等にて形成され、下側が閉塞した円筒形の外筒４ａを有する。
【００３４】
外筒４ａはベース２の外筒２ａから所定量小さい外径で、先述の下シート９を巻き付けた時に、ちょうど同じ外径となる様に設定してある。
【００３５】
外筒４ａの上端側には、上方向へ突出し、さらに反時計回り方向へフックした第二係止爪４ｂ・４ｃと、第三係止爪４ｄ・４ｅが９０度間隔で交互に設けてある。これらはベース２の外筒２ａの内側に差し込んでから反時計回り方向に回して、第二係止部２ｅ・２ｆおよび第三係止部２ｇ・２ｈに結合させるものである。
【００３６】
このうち、第三係止爪４ｄ・４ｅの先端には、外筒４ａに対して略垂直なロック面４ｆ・４ｇと、上面側から見て反時計回り方向にて内径側へ傾斜したテーパ面４ｈ・４ｉが設けてある。このテーパ面４ｈ・４ｉも、表面に赤色の塗装が施されている。しかし、第二係止爪４ｂ・４ｃにはこの様なテーパ面は無く、代わりに青色の塗装が施されている。
【００３７】
本発明の第１実施例による包装箱は、以上の様に構成されている。
【００３８】
次に、この包装箱１に電子機器５および付属品類６を収納する作業について説明する。ここでは、はじめにメインの商品である電子機器５を収納し、物流を経た後で付属品類６を収納し、再度物流を経てユーザーの手に渡り、ユーザーは必要に応じて電子機器５および付属品類６を出し入れするものとする。
【００３９】
まず、電子機器５を収納するには、図１Ｂに示した様に、ベース２に電子機器５を載せ、上カバー３の内側に設けた保護カバー７が電子機器５を覆う様に調整しながら、上カバー３をベース２に被せる。図５はこの様子を示す断面図であり、説明用に内筒２ｂを非表示にしたベース２と上カバー３のみ表示し、電子機器５と保護カバー７と上シート８を非表示にしてある。
【００４０】
図５Ａはベース２の第一係止部２ｃが見やすい断面でカットし、図５Ｂはそれより位相を変えてベース２の第四係止部２ｉが見やすい断面でカットしている。なお、包装箱１の全体は先述の通り１８０度円対称の筒形であるから、断面でカットされた非表示側においても同じ形状となっている。
【００４１】
さて、上カバー３をベース２に被せるには、まず第一係止爪３ｂを図５Ａから図５Ｃの様にベース２の外筒２ａの内側へ差し込む様にして被せ、そのまま図５Ｅの様に上カバー３を上から見て時計方向へ回す。このとき第四係止爪３ｄも一緒に図５Ｂから図５Ｄの様に被せて図５Ｆの様に回す。すると図５Ｅの様に第一係止爪３ｂが第一係止部２ｃへバヨネット結合し、図５Ｆの様に第四係止爪３ｄも第四係止部２ｉへバヨネット結合して、ベース２と上カバー３が固定される。
【００４２】
図５Ｇは図５Ｃの様子を真上から見た断面図であり、第一係止爪３ｂはまだテーパ面２ｎの手前にあり、これを回すと図５Ｈの様に第一係止爪３ｂはテーパ面２ｎに乗り上げて内周側へたわみつつ移動する。そして図５Ｅの状態まで達すると、第一係止爪３ｂのロック面３ｆが図５Ｉの様にロック面２ｌを乗り越えるので、たわみが元に戻ってロック面３ｆとロック面２ｌは噛み合いロックした状態となり、窓部２ｔの内側はテーパ面３ｈで覆われる。
【００４３】
このとき、先述の様にテーパ面３ｈは表面を赤色に塗装してあるので、外部から見ると窓部２ｔを透過してテーパ面３ｈの赤色を観察することができる。同様に、図５Ｆの様に窓部２ｖの内側はテーパ面の無い第四係止爪３ｄで覆われるので、外部から見ると窓部２ｖを透過して第四係止爪３ｄの青色を観察することができる。
【００４４】
これらは先述の通り断面でカットされた非表示側においても同様であるから、上カバー３は二ヶ所の第一係止爪３ｂと３ｃによってベース２に噛み合いロックした状態となる。よって、いったん図５Ｅの状態になると、このまま上カバー３を反時計方向に回してベース２から取り外そうとしても回すことができなくなる。
【００４５】
要するに、ベース２に上カバー３を結合すると、上カバー３はベース２にロックして開かない状態になるのである。これは上カバー３を被せて回すだけの操作なので、簡単にロックすることができる。なお、図５Ｂの様に第四係止部２ｉと第四係止爪３ｄにはロック機構が無いので、第四係止爪３ｄの先端は図５Ｆの様に第四係止部２ｉと係止してもロックせず、先端がロック面２ｐに隣接するだけである。同じく図示しない第四係止爪３ｅも第四係止部２ｊと係止してもロックせず、先端がロック面２ｑに隣接するだけである。
【００４６】
また、上カバー３のロック状態を表わすインジケーターとして、窓部２ｔと２ｕに赤色が表示される。これをより明確にするには、あらかじめ窓部２ｔと２ｕの周辺にその旨を説明する注意文を添えておいてもよい。
【００４７】
次に、ベース２の下面に下カバー４を被せる。このとき、上カバー３に設けた保護カバー７（非表示）が電子機器５（非表示）を覆いつつ保持しているので、下カバー４を被せる作業中に電子機器５は上カバーの内部で暴れる事なく固定され問題なく作業ができる。
【００４８】
図６は下カバー４を被せる様子を示す断面図であり、図６Ａは図５Ａと同じ断面、図６Ｂは図５Ｂと同じ断面でカットしており、先程と同様に断面でカットされた非表示側においても同じ形状である。まず、第二係止爪４ｂを図６Ａから図６Ｃの様にベース２の外筒２ａの内側へ差し込む様にして被せ、そのまま図６Ｅの様に下カバー４を上から見て反時計方向へ回す。このとき第三係止爪４ｄも一緒に図６Ｂから図６Ｄの様に被せて図６Ｆの様に回す。すると図６Ｅの様に第二係止部２ｅと第二係止爪４ｂがバヨネット結合し、図６Ｆの様に第三係止部２ｇと第三係止爪４ｄもバヨネット結合して、ベース２と下カバー４が固定される。
【００４９】
そして、このとき図６Ｄにおいて、第三係止部２ｇの上にテーパ面２ｒがあるので、第三係止爪４ｄは内周側にたわみつつ回転し、図６Ｆの様にロック面４ｆがロック面２ｐを乗り越えるまでは、先述の第一係止爪３ｂの場合と同様である。
【００５０】
しかし、今回は、すでに上カバー３が取り付けられ、図６Ｄの様にロック面２ｐには上カバー３の第四係止爪３ｄが隣接している。この図６Ｄの様子を真上から見た断面図が図６Ｇであり、第三係止爪４ｄはまだテーパ面２ｒの手前にあり、これを回すと第三係止爪４ｄは図６Ｈの様にテーパ面２ｒに乗り上げて内周側へたわみつつ移動する。
【００５１】
そして図６Ｆの状態まで達すると、第三係止爪４ｄのロック面４ｆが図６Ｉの様にロック面２ｐを乗り越えるが、そのまま続けて第四係止爪３ｄに乗り上げるので、ロック面２ｐとロック面４ｆは噛み合わない。
【００５２】
そして窓部２ｖの内側には赤色に塗装された第三係止爪４ｄのテーパ面４ｈが達するが、これはすでに青色に塗装された第四係止爪３ｄで覆われているため、窓部２ｖを外部から見ると引き続き第四係止爪３ｄの青色を観察することができる。
【００５３】
これらは先述の通り断面でカットされた非表示側においても同様であるから、第三係止爪４ｅもベース２に噛み合わずロックしない。すなわち、ベース２に上カバー３を結合した状態で下カバー４を結合すると、下カバー４はベース２にロックしないのである。よって、この状態では下カバー４を逆回転できるので、バヨネット結合を外しベース２から下カバー４を開けることができる。
【００５４】
また、この様にベース２へ上カバー３を結合してから下カバー４を結合すると、それまでベース２にロックしていた上カバー３も解除される。これは、図６Ｃから図６Ｅの様に下カバー４を反時計方向へ回すと、上カバー３の第一係止爪３ｂに設けたテーパ面３ｈに下カバー４の第二係止爪４ｂが差し込まれて第一係止爪３ｂが浮き上がり、ロック面３ｆがベース２のロック面２ｌに噛み合わなくなる為である。同様に断面でカットされた非表示側においても、第一係止爪３ｃのテーパ面３ｉに第二係止爪４ｃが差し込まれて浮き上がり、ロック面３ｇがベース２のロック面２ｍに噛み合わなくなる。
【００５５】
なお、窓部２ｔは、それまで内側を覆っていた赤色のテーパ面３ｈに青色の第二係止爪４ｂが差し込まれるので、外部から見るとそれまで赤色に表示されていたものが青色に変わる。
【００５６】
要するに、ベース２に上カバー３と下カバー４の両方を結合した状態では、互いの係止爪がベース２にロックするのを相手の係止爪が解除し合う状態となって結合するので、上カバー３と下カバー４のどちらでも回転して開ける事ができるのである。そして、一方のカバーを回転させた途端、他方のカバーはロックが復活するので開ける事ができなくなるのである。
【００５７】
また、上カバー３のロック解除を表わすインジケーターとして、窓部２ｔと２ｕの赤色が青色に変わる。これをより明確にするには、あらかじめ窓部２ｔと２ｕの周辺にその旨を説明する注意文を添えておいてもよい。同様に、窓部２ｖと２ｗも青色なので、これは下カバー４がロック解除されている旨を説明する注意文を添えればよい。
【００５８】
なお、ここではベース２へ上カバー３を結合した後で下カバー４を結合する場合を述べたが、逆にベース２へ下カバー４を結合した後で上カバー３を結合する場合であっても同様である。すなわち、ベース２の第三係止部２ｇ・２ｈへ下カバー４の第三係止爪４ｄ・４ｅが結合した後で、ベース２の第四係止部２ｉ・２ｊへ上カバー３の第四係止爪３ｄ・３ｅを結合する場合である。下カバー４がロックした状態で上カバー３を時計方向へ回した時、下カバー４の第三係止爪４ｄに設けたテーパ面４ｈに上カバー３の第四係止爪３ｄが差し込まれて第三係止爪４ｄが浮き上がり、ロック面４ｆがベース２のロック面２ｐに噛み合わなくなる。
【００５９】
そして窓部２ｖは、それまで内側を覆っていた赤色のテーパ面４ｈに青色の第二係止爪３ｄが差し込まれるので、外部から見るとそれまで赤色に表示されていたものが青色に変わる。反対側でも同様に、第三係止爪４ｅのテーパ面４ｉに第四係止爪３ｅが差し込まれて浮き上がり、ロック面４ｇがベース２のロック面２ｑに噛み合わなくなり、窓部２ｗも赤色から青色に変わる。
【００６０】
これらはいずれも複雑な操作を必要とせず、バヨネット結合するだけで容易にロックしたり解除したりすることが可能である。そして窓部２ｔ〜２ｗを見て、そのロック状態を容易に確認することができる。
【００６１】
さて、こうして上カバー３に電子機器５を収納し、物流を経た後で付属品類６を収納する。物流の過程では、ベース２に載せた電子機器５は、保護カバー７によって覆われ固定されるので、上カバー３の中で暴れる事なく輸送できる。そして付属品類６を収納する際にも、先述の通り、下カバー４を開ければ上カバー３がベース２にロックされるので、収納作業にて不用意に上カバー３が開くのを防止できる。そしてこれを店頭に展示販売する際には、透明な上カバー３および保護カバー７を透過して電子機器５の商品形態を直接ユーザーに展示でき、さらに上シート８および下シート９によって詳細な商品情報も展示できる。
【００６２】
そしてユーザーがこの電子機器５を購入後に使用する際は、必要に応じて上カバー３または下カバー４を選択的に開いて、電子機器５および付属品類６を出し入れすることができる。そして上カバー３を開けて電子機器５を取り出す時は下カバー４がロックされるので、下カバー４が不用意に開いて付属品類６を落下させることはない。また、下カバー４を開けて付属品類６を取り出す時も上カバー３がロックされるので、電子機器５は上カバー３内部に収納され保護された状態を保つことができる。
【００６３】
なお、以上は収納する物品の例として電子機器５および付属品類６を挙げたが、これは他の商品についても応用でき、例えば時計や貴金属類の収納に透明な上カバー３に商品を展示可能に収納し、下カバー４に説明書類や鑑定書等を収納してもよい。
【００６４】
さらに、廃却時等で上カバー３と下カバーカバー４をともにベース２から外す必要のある場合は、先述の様にまず一方のカバーを外したのち、他方のカバーのロックをピンセット等で解除してもよいが、別途取り外し用工具カバーを設定してもよい。これは例えば、上カバー３または下カバー４に類似した形状で係止爪先端をロック面なしに形成し、これをベース２に取り付け他方のカバーをロック解除して取り外した後、自らはロック面がないのでそのままベース２から取り外すことができるものである。あるいは工具を用意せずとも、上カバー３または下カバー４のロック面を削って改造してもよい。
【符号の説明】
【００６５】
１  包装箱（全体）、２  ベース、２ａ  外筒、２ｂ  内筒、２ｃ〜２ｄ  第一係止部、
２ｅ〜２ｆ  第二係止部、２ｇ〜２ｈ  第三係止部、２ｉ〜２ｊ  第四係止部、
２ｋ  リブ、２ｌ〜２ｍ  ロック面、２ｎ〜２ｏ  テーパ面、２ｐ〜２ｑ  ロック面、
２ｒ〜２ｓ  テーパ面、２ｔ〜２ｗ  窓部、３  上カバー、３ａ  外筒、
３ｂ〜３ｃ  第一係止爪、３ｄ〜３ｅ  第四係止爪、３ｆ〜３ｇ  ロック面、
３ｈ〜３ｉ  テーパ面、４  下カバー、４ａ  外筒、４ｂ〜４ｃ  第二係止爪、
４ｄ〜４ｅ  第三係止爪、４ｆ〜４ｇ  ロック面、４ｈ〜４ｉ  テーパ面、
５  電子機器、６  付属品類、７  保護カバー、７ａ  凸形状、８  上シート、
８ａ  開口部、９  下シート
【図１】
2017145003.tif 000003
【図２】
2017145003.tif 000004
【図３】
2017145003.tif 000005
【図４】
2017145003.tif 000006
【図５−１】
2017145003.tif 000007
【図５−２】
2017145003.tif 000008
【図５−３】
2017145003.tif 000009
【図５−４】
2017145003.tif 000010
【図６−１】
2017145003.tif 000011
【図６−２】
2017145003.tif 000012
【図６−３】
2017145003.tif 000013
【図６−４】
2017145003.tif 000014